(57)【特許請求の範囲】
【請求項１】
流体が吐出される吐出孔が形成された吐出器本体と、
前記吐出器本体に装着され、前記吐出孔に連通する連通孔が形成された貯留カップ体と、
前記貯留カップ体の上端開口部に対して軸線回りに回転自在に装着された有頂筒状の蓋体と、
を備え、
前記貯留カップ体の上端開口縁及び前記蓋体の下端開口縁には、互いに離脱自在に係合する係合突部及び係合凹部が各別に形成され、
前記貯留カップ体及び前記蓋体を相対的に軸線回りに回転させると、前記係合突部が、前記貯留カップ体の上端開口縁及び前記蓋体の下端開口縁のうちのいずれか一方と摺接しながら、前記蓋体が前記貯留カップ体に対して上昇し、前記係合凹部と、前記貯留カップ体の上端開口縁及び前記蓋体の下端開口縁のうちのいずれか他方と、の間に、前記貯留カップ体内の流体を流出させる流出窓を画成し、
前記吐出器本体が、上端開口部が前記吐出孔とされ、かつ上方付勢状態で下降移動自在に配設されたステムと、前記ステムに連係するピストンと、前記ピストンが内部に上下摺動自在に配設されたシリンダと、を備えると共に、前記ステムを押し下げて前記シリンダ内の流体を圧縮することにより、この流体を前記ステムの内部を通して前記吐出孔から吐出する構成とされ、
前記ステムの上端部には、前記貯留カップ体の底部が連結され、
前記貯留カップ体の底部には、内部が前記吐出孔に連通されると共に、前記連通孔が形成された接続筒部が設けられ、
前記蓋体の頂壁部には、前記貯留カップ体及び当該蓋体の相対的な回転に伴って前記連通孔を開閉するように昇降する装着筒部が突設されていることを特徴とする吐出器。
【請求項２】
前記係合突部には、前記貯留カップ体の上端開口部内に軸線回りに摺動自在に嵌合する案内板部が下方に向けて突設されていることを特徴とする請求項１に記載の吐出器。
【請求項３】
前記吐出器本体が、上端開口部が前記吐出孔とされ、かつ上方付勢状態で下降移動自在に配設されたステムと、前記ステムに連係するピストンと、前記ピストンが内部に上下摺動自在に配設されたシリンダと、前記ステムの前方側に配設された指掛部及び前記ステムを押し下げる押下部を有し、前記ステムの後方側に配設された揺動軸回りに揺動自在なトリガと、を備えると共に、前記トリガの揺動に伴って前記押下部により前記ステムを押し下げて前記シリンダ内の流体を圧縮することにより、この流体を前記ステムの内部を通して前記吐出孔から吐出する構成とされ、
前記流出窓が、前後方向に直交する左右方向に向けて開口することを特徴とする請求項１または２に記載の吐出器。
【発明の詳細な説明】
【技術分野】
【０００１】
本発明は、吐出器に関するものである。
【背景技術】
【０００２】
従来から、流体が吐出される吐出孔が形成された吐出器本体と、吐出器本体に装着され、吐出孔に連通する連通孔が形成された貯留カップ体と、貯留カップ体の上端開口部を開閉するヒンジ蓋体と、を備える吐出器が知られている（例えば、特許文献１参照）。
このような吐出器では、流体を貯留カップ体内に貯留した後に、ヒンジ蓋体を開いて貯留カップ体の上端開口部を開放し、この上端開口部から流体を流出させている。
【先行技術文献】
【特許文献】
【０００３】
【特許文献１】特許第３６６７４９７号公報
【発明の概要】
【発明が解決しようとする課題】
【０００４】
しかしながら、このような吐出器では、貯留カップ体の上端開口部から流体を流出させる際の操作性を向上させることに対して改善の余地があった。
【０００５】
本発明は、前述の課題に鑑みてなされたもので、流体を流出させる際の操作性を向上させた吐出器を提供することである。
【課題を解決するための手段】
【０００６】
本発明は、上記のような課題を解決するために以下のような手段を採用した。すなわち、本発明の吐出器は、流体が吐出される吐出孔が形成された吐出器本体と、前記吐出器本体に装着され、前記吐出孔に連通する連通孔が形成された貯留カップ体と、前記貯留カップ体の上端開口部に対して軸線回りに回転自在に装着された有頂筒状の蓋体と、を備え、前記貯留カップ体の上端開口縁及び前記蓋体の下端開口縁には、互いに離脱自在に係合する係合突部及び係合凹部が各別に形成され、前記貯留カップ体及び前記蓋体を相対的に軸線回りに回転させると、前記係合突部が、前記貯留カップ体の上端開口縁及び前記蓋体の下端開口縁のうちのいずれか一方と摺接しながら、前記蓋体が前記貯留カップ体に対して上昇し、前記係合凹部と、前記貯留カップ体の上端開口縁及び前記蓋体の下端開口縁のうちのいずれか他方と、の間に、前記貯留カップ体内の流体を流出させる流出窓を画成し、前記吐出器本体が、上端開口部が前記吐出孔とされ、かつ上方付勢状態で下降移動自在に配設されたステムと、前記ステムに連係するピストンと、前記ピストンが内部に上下摺動自在に配設されたシリンダと、を備えると共に、前記ステムを押し下げて前記シリンダ内の流体を圧縮することにより、この流体を前記ステムの内部を通して前記吐出孔から吐出する構成とされ、前記ステムの上端部には、前記貯留カップ体の底部が連結され、前記貯留カップ体の底部には、内部が前記吐出孔に連通されると共に、前記連通孔が形成された接続筒部が設けられ、前記蓋体の頂壁部には、前記貯留カップ体及び当該蓋体の相対的な回転に伴って前記連通孔を開閉するように昇降する装着筒部が突設されていることを特徴とする。
【０００７】
この発明では、貯留カップ体及び蓋体を相対的に軸線回りに回転させ、蓋体を貯留カップ体に装着したままの状態で貯留カップ体に対して上昇及び下降させることにより、貯留カップ体内の流体を流出する流出窓を画成したり閉塞したりするので、貯留カップ体に対して大きく回動させるヒンジ蓋体に比べ、軸方向への小さな移動量で流出窓を開閉することができ、この流出時の吐出器の嵩張りを抑制することができる。すなわち、貯留カップ体及び蓋体を相対的に軸線回りに回転させると、係合突部が貯留カップ体の上端開口縁または蓋体の下端開口縁に対して摺接しながら、蓋体が貯留カップ体に対して上昇し、係合凹部との係合が解除される。これにより、流出窓が画成される。また、貯留カップ体及び蓋体を相対的に軸線回りに回転させ、係合突部と係合凹部とを再度係合させると、流出窓が閉じられる。このように流出時において貯留カップ体に対する蓋体の突出量（移動量）を抑制することで、流出時の操作性を向上させることができる。
また、流出窓が画成されていない貯留カップ体の閉塞状態では、連通孔が蓋体の装着筒部によって閉塞されているので、ステムを下降させようとしても、シリンダの内圧が高まるため、ステムが下降せず、流体が貯留カップ体内に流入しない。これにより、蓋体の閉塞状態において、不意に加えられた外力によってステムが下降し、流体が貯留カップ体内に流入されることを防止できる。さらに、蓋体を貯留カップ体に対して上昇させる際に、装着筒部が接続筒部に沿って上下方向に案内されるので、蓋体の上昇を安定させることができる。
【０００９】
また、本発明の吐出器は、前記係合突部には、前記貯留カップ体の上端開口部内に軸線回りに摺動自在に嵌合する案内板部が下方に向けて突設されてもよい。
この場合では、蓋体を貯留カップ体に対して上昇及び下降させる際に、蓋体が貯留カップ体に対してぐらつくことが抑制され、貯留カップ体に対して蓋体を安定して上昇及び下降させることができる。
【００１０】
また、本発明の吐出器は、前記吐出器本体が、上端開口部が前記吐出孔とされ、かつ上方付勢状態で下降移動自在に配設されたステムと、前記ステムに連係するピストンと、前記ピストンが内部に上下摺動自在に配設されたシリンダと、前記ステムの前方側に配設された指掛部及び前記ステムを押し下げる押下部を有し、前記ステムの後方側に配設された揺動軸回りに揺動自在なトリガと、を備えると共に、前記トリガの揺動に伴って前記押下部により前記ステムを押し下げて前記シリンダ内の流体を圧縮することにより、この流体を前記ステムの内部を通して前記吐出孔から吐出する構成とされ、前記流出窓が、前後方向に直交する左右方向に向けて開口してもよい。
この場合では、流出窓から貯留カップ体の流体を流出させるときに、流体がトリガに当たることを抑制でき、流体の流出時の操作性をより向上させることができる。
【発明の効果】
【００１１】
この発明にかかる吐出器によれば、蓋体を貯留カップ体に装着したまま、蓋体を貯留カップ体に対して相対的に軸線回りで回転させ、貯留カップ体に対して上昇及び下降させることによって流出窓の画成及び閉塞を行うので、流出時の吐出器の嵩張りを抑制することができ、流出時の操作性を向上させることができる。
【図面の簡単な説明】
【００１２】
【図１】本発明の一実施形態における吐出器を示す軸方向断面図である。
【図２】図１の概略上面図である。
【図３】図１の周壁部を示す拡大断面図である。
【図４】図１の吐出器の使用方法を説明する軸方向断面図である。
【発明を実施するための形態】
【００１３】
以下、本発明における吐出器の一実施形態を、図面に基づいて説明する。なお、以下の説明に用いる各図面では、各部材を認識可能な大きさとするために縮尺を適宜変更している。
【００１４】
本実施形態における吐出器１は、図１に示すように、容器の口部（図示略）に装着され、流体である流体が吐出される吐出孔２Ａが形成された吐出器本体２と、吐出器本体２に装着され、吐出孔２Ａに連通する連通孔３Ａが形成された有底円筒状の貯留カップ体３と、貯留カップ体３の上端開口部３Ｂに装着された有頂円筒状の蓋体４と、を備える。
これら吐出器本体２の後述する円筒状のステム３１、貯留カップ体３及び蓋体４は、それぞれの中心軸線が共通軸上に位置する状態で配設されている。以下、この共通軸を中心軸Ｏと称し、図１において中心軸Ｏに沿って蓋体４側を上方、その反対方向を下方とする。また、中心軸Ｏに直交する方向を径方向と称し、中心軸Ｏ回りに周回する方向を周方向と称する。さらに、本実施形態では、吐出器本体２の後述するトリガ１３が向けられた方向（図１における左側）を前方、その反対側（図１における右側）を後方と称し、中心軸Ｏ及び前後方向に直交する方向を左右方向と称する。
【００１５】
吐出器本体２は、図１に示すように、容器の口部に装着する装着キャップ１１と、上端開口部が吐出孔２Ａとされ、かつ上方付勢状態で下降移動自在に配設されたステム３１を有するポンプ１２と、ステム３１を押し下げるためのトリガ１３と、を備える。
【００１６】
装着キャップ１１は、中心軸Ｏと同軸である円筒状をなしており、平面視で円環状をなす天壁部２１と、天壁部２１の外周縁から下方に向けて延設された円筒状の下筒部２２と、天壁部２１の内周縁から上方に向けて延設された円筒状の上筒部２３と、上筒部２３の上端から上方に向けて立設された案内筒部２４と、上筒部２３及び案内筒部２４の後方に配設されたトリガ支持部２５と、を有する。
【００１７】
下筒部２２の内周面には、容器の口部の外周面に形成された雄ネジ部（図示略）と螺合する雌ネジ部が形成されている。
トリガ支持部２５は、上筒部２３及び案内筒部２４の外周面から後方に向けて突設されており、左右方向に間隔をあけて配設された一対の側壁部２６と、一対の側壁部２６の後端を接続する後壁部２７と、を有する。側壁部２６の上端の後部には、上方に向けて突出部２６Ａが突設されており、この突出部２６Ａの外面には、左右方向外側に向けて円柱状の揺動軸２６Ｂが突設されている。
【００１８】
ポンプ１２は、中心軸Ｏに沿って延設されたステム３１と、ステム３１に連係するピストン３２と、ピストン３２が内部に上下摺動自在に配設されたシリンダ３３と、中心軸Ｏに沿って延設された芯棒３４と、シリンダ３３内に収容されたコイルスプリング３５と、球状の弁体３６と、を備える。
【００１９】
ステム３１は、案内筒部２４の内側に上下方向に移動可能に挿通されており、ステム３１の上部は、案内筒部２４の上端から上方に向けて突出しており、ステム３１の下部は、案内筒部２４の下端から下方に向けて突出して上筒部２３内に配設されている。また、ステム３１の上端部には、円環状の第１弁座部３１Ａが径方向内側に向けて突設されている。第１弁座部３１Ａの内周面は、下方に向かうにしたがって漸次縮径するテーパ状をなしており、第１弁座部３１Ａの内側には、球状の玉弁３７が収容されている。この玉弁３７は、第１弁座部３１Ａのテーパ面に離着自在に配置されている。
また、ステム３１の左右両側には、左右方向外側に向けて一対の被押下部３１Ｂが突設されている。
【００２０】
ピストン３２は、二重筒構造をなしてステム３１の下端部に嵌合されており、ステム３１の上下方向の移動に伴ってシリンダ３３の内周面に沿って摺動自在となっている。
シリンダ３３は、円筒状のシリンダ本体部４１と、シリンダ本体部４１の上下方向中間部において外周面から径方向外側に向けて突出するフランジ部４２と、シリンダ本体部４１の下端に連設された第２弁座部４３と、第２弁座部４３の下端から下方に向けて延設された連結筒部４４と、を有する。
【００２１】
シリンダ本体部４１の上部は、装着キャップ１１の上筒部２３内に嵌合されている。
フランジ部４２は、シリンダ本体部４１の全周にわたって形成されており、装着キャップ１１の天壁部２１の下面に当接されている。また、フランジ部４２の下面には、円環状のパッキン４５が配置されている。
第２弁座部４３の下部は、下方に向かうにしたがって漸次縮径するテーパ状をなしている。
連結筒部４４内には、上記容器本体内に収容されるチューブ４６の上端部が嵌合されている。
【００２２】
芯棒３４は、ピストン３２内に挿通された棒状をなしている。芯棒３４の上部は、ステム３１内に挿通されている。また、芯棒３４の下部には、拡径部４７が形成されており、この拡径部４７の下端部には、シリンダ本体部４１の底面に載置された複数の縦リブ部４７Ａが周方向に間隔をあけて突設されている。
コイルスプリング３５は、ピストン３２と芯棒３４の縦リブ部４７Ａとの間に介装されている。
弁体３６は、第２弁座部４３の内側に収容されており、第２弁座部４３内のテーパ面に離着自在に配置されている。
【００２３】
トリガ１３は、揺動軸２６Ｂを介してトリガ支持部２５に取り付けられており、この揺動軸２６Ｂ回りに揺動自在に設けられている。トリガ１３は、ステム３１の上部を上方から囲む外殻状の部材であり、装着キャップ１１の上方に配設された天板部５１と、天板部の前端から前方に向けて斜め下方に延在する前板部５２と、天板部５１の左右両側の側端それぞれから下方に向けて延設された一対の側板部５３と、を有する。
天板部５１は、前後方向の中央部に向かうにしたがって漸次上方に向けて膨出するように湾曲した板状をなしている。天板部５１には、前後方向に延在し、ステム３１及び貯留カップ体３の後述する接続筒部６３が挿通される平面視で矩形状の挿通孔５１Ａが形成されている。
前板部５２の下部には、ステム３１の前方側に配設された指掛部５２Ａが設けられている。
【００２４】
一対の側板部５３の内面には、ステム３１を押し下げるための押下部５４が左右方向内側に向けて突設されている。押下部５４は、上下方向に延在するリブ状をなしており、その下端部には、被押下部３１Ｂが揺動軸２６Ｂ回りに摺動自在に嵌め込まれた円弧状の切欠部５４Ａが形成されている。また、側板部５３の後部は、トリガ支持部２５の突出部２６Ａの外周面にそれぞれ対向配置されており、さらに、側板部５３の後部には、揺動軸２６Ｂを揺動軸２６Ｂ回りに摺動自在に挿通する軸孔部５３Ａが形成されている。
【００２５】
貯留カップ体３は、平面視で円環状をなす底壁部６１と、底壁部６１の外周縁から上方に向けて立設された円筒状の周壁部６２と、底壁部６１の内周縁に設けられた円筒状の接続筒部６３と、を有する。これら底壁部６１、周壁部６２及び接続筒部６３は、中心軸Ｏと同軸に配設されている。
【００２６】
周壁部６２の左右両側における上端開口縁には、下方に向けて陥没する一対の係合凹部６２Ａが形成されている。係合凹部６２Ａの周方向の大きさは、下方から上方に向かうにしたがって漸次増大しており、係合凹部６２Ａの周縁は、滑らかな曲線状をなしている。また、周壁部６２の上端開口部のうち係合凹部６２Ａの周方向の中央部が位置する部分は、図３に示すように、上方に向かうにしたがって漸次薄くなると共に上端において径方向外側に向けて突出している。
【００２７】
接続筒部６３は、図１に示すように、底壁部６１の内周縁から下方に向けて延設された筒状の嵌合筒部６５と、底壁部６１の内周縁から上方に向けて立設された円筒状の軸筒部６６と、を有する。
嵌合筒部６５は、内側にステム３１の上端部が嵌合されており、挿通孔５１Ａに挿通されている。また、嵌合筒部６５の外形は、平面視で矩形状をなしており、接続筒部６３が中心軸Ｏ回りに回転することを規制し、貯留カップ体３がトリガ１３に対して中心軸Ｏ回りに回転することを規制する。
【００２８】
軸筒部６６の上部における左右両側には、軸筒部６６の上端から上下方向の中央部まで上下方向に延在する切欠部が各別に形成されている。この切欠部は、軸筒部６６の外部とステム３１の内部とを連通させる連通孔３Ａを形成する。
また、軸筒部６６の外周面には、貯留カップ体３の係合凹部６２Ａと蓋体４の後述する係合突部７２Ａとが係合する閉塞位置と、係合突部７２Ａが係合凹部６２Ａと係合解除される画成位置と、の間で貯留カップ体３に対して蓋体４を位置決めする第１及び第２位置決溝部６６Ａ、６６Ｂがそれぞれ全周にわたって形成されている。上下方向における第１及び第２位置決溝部６６Ａ、６６Ｂ間の大きさは、上下方向における係合凹部６２Ａの大きさと同等となっている。
【００２９】
蓋体４は、平面視で円板状をなす頂壁部７１と、頂壁部７１の外周縁から下方に向けて延設された円筒状の外壁部７２と、頂壁部７１の径方向中央部から下方に向けて延設された円筒状の装着筒部７３と、周壁部６２の上端開口部内に中心軸Ｏ回りに摺動自在に嵌合する一対の案内板部７４と、を有する。これら頂壁部７１、外壁部７２及び装着筒部７３は、中心軸Ｏと同軸に配設されている。
外壁部７２の左右両側における下端開口縁には、下方に向けて突出し、係合凹部６２Ａに対して離脱自在に係合する係合突部７２Ａが各別に形成されている。係合突部７２Ａは、係合凹部６２Ａと相補的な形状をなしており、その周方向の大きさは、下方に向かうにしたがって漸次減少している。なお、本実施形態では、係合突部７２Ａは、係合凹部６２Ａと当接しているが、係合凹部６２Ａとの間に間隙が形成されていてもよい。
【００３０】
装着筒部７３の下部における前後両側には、連通孔３Ａの少なくとも一部を開放可能な開放切欠部７３Ａが各別に形成されている。開放切欠部７３Ａの周方向における大きさは、連通孔３Ａの周方向における大きさと同等となっている。装着筒部７３は、蓋体４が貯留カップ体３に対して閉塞位置にあるときに、連通孔３Ａを径方向外側から被覆して軸筒部６６の内部と外部との連通を遮断し、蓋体４が貯留カップ体３に対して画成位置にあるときに、開放切欠部７３Ａと連通孔３Ａとを周方向で位置合わせることにより、連通孔３Ａを開放して軸筒部６６の内部と外部とを連通させる。
さらに、装着筒部７３には、第１及び第２位置決溝部６６Ａ、６６Ｂそれぞれと係合可能な位置決突部７３Ｂが径方向内側に向けて突設されている。
【００３１】
なお、位置決突部７３Ｂは、第１及び第２位置決溝部６６Ａ、６６Ｂそれぞれと係合することによって上下方向に位置決めされるが、第１及び第２位置決溝部６６Ａ、６６Ｂに替えて螺旋状の位置決溝部を形成し、この螺旋状の位置決溝部に沿って案内（例えば螺着、螺脱）されながら蓋体４を閉塞位置と画成位置との間で位置決めされるように構成されてもよい。
案内板部７４は、左右両側に配設されており、周壁部６２の内周面に沿って湾曲した円弧状をなしている。
【００３２】
次に、以上のような構成の吐出器１の使用方法について説明する。
まず、閉塞位置にある蓋体４を貯留カップ体３に対して中心軸Ｏ回りに回転させる。蓋体４を回転させると、蓋体４は、係合突部７２Ａが周壁部６２の上端開口縁に摺接しながらこの上端開口縁に沿って案内され、貯留カップ体３に対して上昇する。蓋体４が貯留カップ体３に対して中心軸Ｏ回りに回転しながら上昇することにより、係合突部７２Ａと係合凹部６２Ａとの係合状態が解除される。これにより、図４に示すように、係合凹部６２Ａと蓋体４の下端開口縁との間には、流出窓８０が画成され、蓋体４は、画成位置に至る。
このとき、位置決突部７３Ｂは、蓋体４の上昇に伴って第１位置決溝部６６Ａとの係合状態が解除され、蓋体４が画成位置に至ると、第２位置決溝部６６Ｂと係合し、蓋体４を画成位置で位置決めする。また、画成位置において、連通孔３Ａと開放切欠部７３Ａとが周方向で位置合わせされ、連通孔３Ａの一部が開放される。
蓋体４を貯留カップ体３に対して中心軸Ｏ回りに回転させる際、嵌合筒部６５の外形が平面視で矩形状をなしており、貯留カップ体３がトリガ１３に対して回転することを規制しているので、貯留カップ体３が蓋体４と共に中心軸Ｏ回りに回転することが防止される。また、案内板部７４が周壁部６２の上端開口部内に中心軸Ｏ回りに摺動するので、蓋体４の貯留カップ体３に対する上昇が安定する。
【００３３】
蓋体４を画成位置とした状態で、トリガ１３の指掛部５２Ａに指などを掛けてトリガ１３を後方に引いて揺動させると、トリガ１３の揺動に伴って押下部５４がステム３１の被押下部３１Ｂを下方に押圧し、ステム３１が押し下げられる。ステム３１の押し下げ動作により、ステム３１の下端に連係されたピストン３２は、シリンダ３３の内周面上を摺動しながら下方に移動する。このとき、弁体３６がシリンダ３３の第２弁座部４３のうちテーパ状の上記下部内周面に着座されており、第２弁座部４３の下部が閉塞されているので、ピストン３２が下方に移動することによって、シリンダ本体部４１内が加圧される。これにより、シリンダ本体部４１内の流体が、芯棒３４の外周面とピストン３２の内周面との隙間を通ってステム３１内に流入する。玉弁３７は、ステム３１内に流入した流体の圧力によって浮上し、第１弁座部３１Ａを開放する。ステム３１内から貯留筒部６３内に流入した流体は、連通孔３Ａと開放切欠部７３Ａとが周方向で位置合わせされているので、開放切欠部７３Ａを通って貯留カップ体３内に貯留される。
【００３４】
次に、トリガ１３を引いた指などを外すと、コイルスプリング３５による付勢によってピストン３２が上方に移動する。これにより、シリンダ本体部４１内が減圧され、弁体３６が浮上して第２弁座部４３の下部が開放され、容器内の流体が、チューブ４６を通って第２弁座部４３内に流入し、第２弁座部４３内から芯棒３４の縦リブ部４７Ａ間を通ってシリンダ本体部４１内に流入する。また、ピストン３２の上方への移動に伴ってステム３１が上方に移動することにより、被押下部３１Ｂが押下部５４を上方へ押圧し、トリガ１３が前方側に移動して元の位置に戻り、玉弁３７は、第１弁座部３１Ａの内周面に着座される。
トリガ１３を引く動作を所望の回数繰り返すことにより、貯留カップ体３内に所望量の流体を貯留させる。
【００３５】
所望量の流体を貯留カップ体３内に貯留させた後、吐出器１を取り付けた容器を傾けることにより、貯留カップ体３内に貯留されている流体は、流出窓８０を介して外部に流出される。ここで、流出窓８０が左右方向に向けて開口しているので、流体がトリガ１３に当たることが防止される。
流体を流出した後、蓋体４を貯留カップ体３に対して中心軸Ｏ回りに回転させると共に、下降させる。蓋体４を貯留カップ体３に対して下降させると、周壁部６２の係合凹部６２Ａと外壁部７２の係合突部７２Ａとが係合し、流出窓８０が閉塞され、蓋体４は、閉塞位置に至る。また、装着筒部７３は、連通孔３Ａを径方向外側から閉塞し、位置決突部７３Ｂは、蓋体４の下降に伴って第１位置決溝部６６Ａと係合し、蓋体４を閉塞位置で位置決めする。
【００３６】
蓋体４が閉塞位置にあるときには、トリガ１３の指掛部５２Ａに指などを掛けてトリガ１３を後方に引いてステム３１を下降させようとしても、シリンダ３３の内圧が上昇するため、ステム３１を下降することができない。したがって、トリガ１３に不意に外力が加えられても、流体が貯留カップ体３内に流入しない。
以上のようにして、吐出器１を用いて容器内の流体を外部に流出させる。
【００３７】
以上のような構成の吐出器１によれば、蓋体４を貯留カップ体３に装着したまま蓋体４を貯留カップ体３に対して相対的に中心軸Ｏ回りで回転させ、貯留カップ体３に対して上昇及び下降させることによって流出窓８０を画成したり閉塞したりするので、流体を流出させるときに吐出器１の嵩張りを抑制できる。これにより、流出時の操作性を向上させることができる。
【００３８】
また、蓋体４が閉塞位置にあるときには、連通孔３Ａが装着筒部７３によって閉塞されており、ステム３１が下降しないので、トリガ１３に対して不意に外力が加わっても、流体が貯留カップ体３内に貯留されることを防止できる。
さらに、案内板部７４により、蓋体４を貯留カップ体３に対して中心軸Ｏ回りで回転させる際に蓋体４が貯留カップ体３に対してぐらつきにくくなるので、蓋体４を安定して上昇及び下降させることができる。
その上、流出窓８０が左右方向に向けて開口しているので、流体の流出時に流体がトリガ１３に当たることを回避でき、流出時の操作性をより向上させることができる。
【００３９】
なお、本発明は上記実施形態に限定されるものではなく、本発明の趣旨を逸脱しない範囲において種々の変更を加えることができる。
例えば、蓋体を貯留カップ体に対して上昇、下降させる構成となっているが、蓋体が貯留カップ体に対して相対的に上昇、下降する構成であればよく、貯留カップ体が蓋体に対して下降、上昇する構成であってもよい。
貯留カップ体に係合凹部を形成すると共に蓋体に係合突部を形成しているが、貯留カップ体に係合突部を形成すると共に蓋体に係合凹部を形成する構成であってもよい。
係合突部には、案内板部が配設されているが、案内板部を配設しなくてもよい。
流出窓は、蓋体を貯留カップ体に対して上昇させると、左右両側に向けて開口しているが、左右のいずれか一方のみに向けて開口してもよく、他の方向に向けて開口していてもよい。
吐出器本体としては、トリガを備えたいわゆるポンプ機構を採用しているが、トリガを備えないポンプ機構やエアゾール機構など他の構造を採用してもよい。
【産業上の利用可能性】
【００４０】
この発明によれば、流体を流出させる際の操作性を向上させた吐出器に関して、産業上の利用可能性が認められる。
【符号の説明】
【００４１】
１  吐出器、２  吐出器本体、２Ａ  吐出孔、３  貯留カップ体、３Ａ  連通孔、３Ｂ  上端開口部、４  蓋体、１３  トリガ、２６Ｂ  揺動軸、３１  ステム、３２  ピストン、３３  シリンダ、５２Ａ  指掛部、５４  押下部、６２Ａ  係合凹部、６３  接続筒部、７２Ａ  係合突部、７３  装着筒部、７４  案内板部、８０  流出窓、Ｏ  中心軸（軸線）
【図１】
0005878385.tif 000002
【図２】
0005878385.tif 000003
【図３】
0005878385.tif 000004
【図４】
0005878385.tif 000005